(57)【特許請求の範囲】
【請求項１】
画像入力装置から画像データを受信する受信手段と、
前記受信手段により受信した画像データに対して所定の処理を施す画像処理手段と、
前記所定の処理の設定を行うための設定情報の入力及び入力し直しをする設定入力手段と、
前記設定入力手段により入力した前記設定情報を決定する決定手段と、
前記決定手段により決定された設定情報を記憶する設定情報記憶手段とを有し、
前記受信手段により１ページ目の画像データを受信し、
前記受信手段により受信した画像データに対して前記画像処理手段により、前記設定情報に基づく所定の処理を施し、
前記決定手段による前記設定情報の決定の後に、前記画像入力装置にＮ（２以上の整数）ページ以降の画像データを要求し、その後に前記画像入力装置から受信した画像データに対しては、前記設定情報記憶手段中の設定情報に基づいて前記画像処理手段による前記所定の処理を行うことを特徴とする画像処理装置。
【請求項２】
画像データの入力と、N（２以上の整数）ページ以上の画像データの外部への出力を行う画像入力装置であって、
入力された画像データに対して所定の処理を施す画像処理手段と、
前記画像処理手段の設定を行うための設定情報を外部から受信する設定受信手段と、
画像データを外部へ出力する出力手段とを有し、
外部へ出力されるNページ以上の画像データのうち１ページ目の画像データは、前記画像処理手段による所定の処理を施さずに、前記出力手段により外部へ出力し、
前記設定情報を前記設定受信手段により外部から受信した後に、外部へ出力するＮページ以降の画像データは、前記設定情報に基づく所定の処理を施してから外部へ出力することを特徴とする画像入力装置。
【請求項３】
画像データの入力を行う画像入力装置によって入力された画像データを処理する画像処理装置の制御方法であって、
前記画像入力装置から画像データを受信する受信工程と、
前記受信工程により受信した画像データに対して所定の処理を施す画像処理工程と、
前記所定の処理の設定を行うための設定情報の入力及び入力し直しをする設定入力工程と、
前記設定入力工程により入力した前記設定情報を決定する決定工程と、
前記決定工程により決定された設定情報を記憶する設定情報記憶工程とを有し、
前記受信工程により１ページ目の画像データを受信し、前記受信工程により受信した画像データに対して前記画像処理工程により、前記設定情報に基づく所定の処理を施し、前記決定工程による前記設定情報の決定の後に、前記画像入力装置にＮ（２以上の整数）ページ以降の画像データを要求し、その後に前記画像入力装置から受信した画像データに対しては、前記設定情報記憶工程で記憶した設定情報に基づいて前記画像処理工程による前記所定の処理を行うことを特徴とする画像処理装置の制御方法。
【請求項４】
画像データの入力と、N（２以上の整数）ページ以上の画像データの外部への出力を行う画像入力装置の制御方法であって、
入力された画像データに対して所定の処理を施す画像処理工程と、
前記画像処理工程の設定を行うための設定情報を外部から受信する設定受信工程と、
画像データを外部へ出力する出力工程とを有し、
外部へ出力されるNページ以上の画像データのうち１ページ目の画像データは、前記画像処理工程による所定の処理を施さずに、前記出力工程により外部へ出力し、
前記設定情報を前記設定受信工程により外部から受信した後に、外部へ出力するＮページ以降の画像データは、前記設定情報に基づく所定の処理を施してから外部へ出力することを特徴とする画像入力装置の制御方法。
【請求項５】
画像データの入力を行う画像入力装置によって入力された画像データを処理する画像処理装置の制御方法を実行するための制御プログラムを格納したコンピュータ可読な記憶媒体であって、
前記プログラムが、
前記画像入力装置から画像データを受信する受信工程と、
前記受信工程により受信した画像データに対して所定の処理を施す画像処理工程と、
前記所定の処理の設定を行うための設定情報の入力及び入力し直しをする設定入力工程と、
前記設定入力工程により入力した前記設定情報を決定する決定工程と、
前記決定工程により決定された設定情報を記憶する設定情報記憶工程と、
前記受信工程により１ページ目の画像データを受信し、前記受信工程により受信した画像データに対して前記画像処理工程により、前記設定情報に基づく所定の処理を施し、前記決定工程による前記設定情報の決定の後に、前記画像入力装置にＮ（２以上の整数）ページ以降の画像データを要求し、その後に前記画像入力装置から受信した画像データに対しては、前記設定情報記憶工程で記憶した設定情報に基づいて前記画像処理工程による前記所定の処理を施す工程とを有することを特徴とする記憶媒体。
【請求項６】
画像入力装置から画像データを受信する受信手段と、
前記受信手段により受信した画像データに対して所定の処理を施す画像処理手段と、
前記所定の処理の設定を行うための設定情報の入力及び入力し直しをする設定入力手段と、
前記設定入力手段により入力した前記設定情報を決定する決定手段と、
前記決定手段により決定された設定情報を前記画像入力装置に送信する送信手段とを有し、
前記受信手段により１ページ目の画像データを受信し、
前記受信手段により受信した画像データに対して前記画像処理手段により、前記設定情報に基づく所定の処理を施し、
前記送信手段により前記画像入力装置に前記設定情報を送信した後に、前記画像入力装置から前記設定情報に基づく所定の処理を施されたＮ（２以上の整数）ページ以降の画像データを、前記受信手段により受信することを特徴とする画像処理装置。
【請求項７】
画像入力装置から受信した画像データに対して所定の処理を施す画像処理手段を有する画像処理装置の制御方法であって、
前記画像入力装置から画像データを受信する受信工程と、
前記受信工程により受信した画像データに対して、前記画像処理手段により所定の処理を施す画像処理工程と、
前記所定の処理の設定を行うための設定情報の入力及び入力し直しをする設定入力工程と、
前記設定入力工程により入力した前記設定情報を決定する決定工程と、
前記決定工程により決定された設定情報を前記画像入力装置に送信する送信工程とを有し、
前記受信工程により１ページ目の画像データを受信し、
前記受信工程により受信した画像データに対して前記画像処理工程により、前記設定情報に基づく所定の処理を施し、
前記決定工程により、前記設定入力工程により入力した前記設定情報を決定し、
前記送信工程により前記画像入力装置に前記設定情報を送信した後に、前記画像入力装置から前記設定情報に基づく所定の処理を施されたＮ（２以上の整数）ページ以降の画像データを、前記受信工程により受信することを特徴とする画像処理装置の制御方法。
【請求項８】
画像入力装置から受信した画像データに対して所定の処理を施す画像処理手段を有する画像処理装置の制御方法を実行するための制御プログラムを格納したコンピュータ可読な記憶媒体であって、
前記プログラムが、
前記画像入力装置から画像データを受信する受信工程と、
前記受信工程により受信した画像データに対して、前記画像処理手段により所定の処理を施す画像処理工程と、
前記所定の処理の設定を行うための設定情報の入力及び入力し直しをする設定入力工程と、
前記設定入力工程により入力した前記設定情報を決定する決定工程と、
前記決定工程により決定された設定情報を前記画像入力装置に送信する送信工程と、
前記受信工程により１ページ目の画像データを受信し、前記受信工程により受信した画像データに対して前記画像処理工程により、前記設定情報に基づく所定の処理を施し、前記決定工程により、前記設定入力工程により入力した前記設定情報を決定し、前記送信工程により前記画像入力装置に前記設定情報を送信した後に、前記画像入力装置から前記設定情報に基づく所定の処理を施されたＮ（２以上の整数）ページ以降の画像データを、前記受信工程により受信するように制御する工程とを有することを特徴とする記憶媒体。
【発明の詳細な説明】
【０００１】
【発明の属する技術分野】
本発明は、パーソナルコンピュータなどの画像処理装置及びその制御方法並びにこの制御方法を実行するための制御プログラムを格納した記憶媒体、スキャナなどの画像入力装置及びその制御方法に関する。
【０００２】
【従来の技術】
従来より、連続的に原稿を給紙できる原稿送り手段を備えたスキャナと、前記スキャナにケーブル等を介して接続されたパーソナルコンピュータ（ＰＣ）とから成るシステムは既に知られている。
【０００３】
スキャナ側では、原稿束の１枚目を給紙し、画像入力手段によりその原稿の画像データを入力した後、入力された画像に対して、明るさ調整や、コントラスト調整、２値化などの画像補正を行うのが一般的である。
【０００４】
この画像補正処理においては、多値のグレー画像やカラー画像を入力するモードの場合は、原稿を多値の画像データとして入力し、設定されたコントラストに相当するようなガンマ補正を行い、設定された明るさに相当する差分を多値データに加算する。また、２値画像を入力するモードの場合は、原稿を多値の画像データとして入力し、上記のコントラスト調整や明るさ調整は行わず、指定された明るさに相当するスライスを境界として２値データに変換する。
【０００５】
このようにしてスキャナ側で画像補正をされた画像データは、パーソナルコンピュータ（ＰＣ）側に送られ、例えば画像ファイルとしてハードディスクに保存される。
【０００６】
【発明が解決しようとする課題】
しかしながら、上記従来技術では、明るさ調整や、コントラスト調整、２値化などの画像補正処理をスキャナ側でのみ行っているため、画像入力と画像補正を行った後の画像データが使用者の希望する明るさやコントラストでなかった場合には、明るさやコントラストの設定を変更した後に、再び原稿束の１枚目を原稿送り手段にセットし直し、画像入力を行う必要があった。この作業を、最適な明るさやコントラストなどを見つけ出すまで繰り返さなければならず、必ずしも効率が良いとは言えなかった。
【０００７】
本発明は上記従来の問題点に鑑み、画像データの最適な明るさやコントラストを見つけ出す作業を何度もしなければならないことによる作業効率の低下を解消することができる画像処理装置及びその制御方法並びに記憶媒体、画像入力装置及びその制御方法を提供することを目的とする。
【０００８】
【課題を解決するための手段】
上記目的を達成するために、本発明の画像処理装置は、画像入力装置から画像データを受信する受信手段と、前記受信手段により受信した画像データに対して所定の処理を施す画像処理手段と、前記所定の処理の設定を行うための設定情報の入力及び入力し直しをする設定入力手段と、前記設定入力手段により入力した前記設定情報を決定する決定手段と、前記決定手段により決定された設定情報を記憶する設定情報記憶手段とを有し、前記受信手段により１ページ目の画像データを受信し、前記受信手段により受信した画像データに対して前記画像処理手段により、前記設定情報に基づく所定の処理を施し、前記決定手段による前記設定情報の決定の後に、前記画像入力装置にＮ（２以上の整数）ページ以降の画像データを要求し、その後に前記画像入力装置から受信した画像データに対しては、前記設定情報記憶手段中の設定情報に基づいて前記画像処理手段による前記所定の処理を行うことを特徴とする。
また、本発明の画像入力装置は、画像データの入力と、N（２以上の整数）ページ以上の画像データの外部への出力を行う画像入力装置であって、入力された画像データに対して所定の処理を施す画像処理手段と、前記画像処理手段の設定を行うための設定情報を外部から受信する設定受信手段と、画像データを外部へ出力する出力手段とを有し、外部へ出力されるNページ以上の画像データのうち１ページ目の画像データは、前記画像処理手段による所定の処理を施さずに、前記出力手段により外部へ出力し、前記設定情報を前記設定受信手段により外部から受信した後に、外部へ出力するＮページ以降の画像データは、前記設定情報に基づく所定の処理を施してから外部へ出力することを特徴とする。
また、本発明の画像処理装置の制御方法は、画像データの入力を行う画像入力装置によって入力された画像データを処理する画像処理装置の制御方法であって、前記画像入力装置から画像データを受信する受信工程と、前記受信工程により受信した画像データに対して所定の処理を施す画像処理工程と、前記所定の処理の設定を行うための設定情報の入力及び入力し直しをする設定入力工程と、前記設定入力工程により入力した前記設定情報を決定する決定工程と、前記決定工程により決定された設定情報を記憶する設定情報記憶工程とを有し、前記受信工程により１ページ目の画像データを受信し、前記受信工程により受信した画像データに対して前記画像処理工程により、前記設定情報に基づく所定の処理を施し、前記決定工程による前記設定情報の決定の後に、前記画像入力装置にＮ（２以上の整数）ページ以降の画像データを要求し、その後に前記画像入力装置から受信した画像データに対しては、前記設定情報記憶工程で記憶した設定情報に基づいて前記画像処理工程による前記所定の処理を行うことを特徴とする。
また、本発明の画像入力装置の制御方法は、画像データの入力と、N（２以上の整数）ページ以上の画像データの外部への出力を行う画像入力装置の制御方法であって、入力された画像データに対して所定の処理を施す画像処理工程と、前記画像処理工程の設定を行うための設定情報を外部から受信する設定受信工程と、画像データを外部へ出力する出力工程とを有し、外部へ出力されるNページ以上の画像データのうち１ページ目の画像データは、前記画像処理工程による所定の処理を施さずに、前記出力工程により外部へ出力し、前記設定情報を前記設定受信工程により外部から受信した後に、外部へ出力するＮページ以降の画像データは、前記設定情報に基づく所定の処理を施してから外部へ出力することを特徴とする。
また、本発明の記憶媒体は、画像データの入力を行う画像入力装置によって入力された画像データを処理する画像処理装置の制御方法を実行するための制御プログラムを格納したコンピュータ可読な記憶媒体であって、前記プログラムが、前記画像入力装置から画像データを受信する受信工程と、前記受信工程により受信した画像データに対して所定の処理を施す画像処理工程と、前記所定の処理の設定を行うための設定情報の入力及び入力し直しをする設定入力工程と、前記設定入力工程により入力した前記設定情報を決定する決定工程と、前記決定工程により決定された設定情報を記憶する設定情報記憶工程と、
前記受信工程により１ページ目の画像データを受信し、前記受信工程により受信した画像データに対して前記画像処理工程により、前記設定情報に基づく所定の処理を施し、前記決定工程による前記設定情報の決定の後に、前記画像入力装置にＮ（２以上の整数）ページ以降の画像データを要求し、その後に前記画像入力装置から受信した画像データに対しては、前記設定情報記憶工程で記憶した設定情報に基づいて前記画像処理工程による前記所定の処理を施す工程とを有することを特徴とする。
また、本発明の画像処理装置は、画像入力装置から画像データを受信する受信手段と、前記受信手段により受信した画像データに対して所定の処理を施す画像処理手段と、前記所定の処理の設定を行うための設定情報の入力及び入力し直しをする設定入力手段と、前記設定入力手段により入力した前記設定情報を決定する決定手段と、前記決定手段により決定された設定情報を前記画像入力装置に送信する送信手段とを有し、前記受信手段により１ページ目の画像データを受信し、前記受信手段により受信した画像データに対して前記画像処理手段により、前記設定情報に基づく所定の処理を施し、前記送信手段により前記画像入力装置に前記設定情報を送信した後に、前記画像入力装置から前記設定情報に基づく所定の処理を施されたＮ（２以上の整数）ページ以降の画像データを、前記受信手段により受信することを特徴とする。
また、本発明の画像処理装置の制御方法は、画像入力装置から受信した画像データに対して所定の処理を施す画像処理手段を有する画像処理装置の制御方法であって、前記画像入力装置から画像データを受信する受信工程と、前記受信工程により受信した画像データに対して、前記画像処理手段により所定の処理を施す画像処理工程と、前記所定の処理の設定を行うための設定情報の入力及び入力し直しをする設定入力工程と、前記設定入力工程により入力した前記設定情報を決定する決定工程と、前記決定工程により決定された設定情報を前記画像入力装置に送信する送信工程とを有し、前記受信工程により１ページ目の画像データを受信し、前記受信工程により受信した画像データに対して前記画像処理工程により、前記設定情報に基づく所定の処理を施し、前記決定工程により、前記設定入力工程により入力した前記設定情報を決定し、前記送信工程により前記画像入力装置に前記設定情報を送信した後に、前記画像入力装置から前記設定情報に基づく所定の処理を施されたＮ（２以上の整数）ページ以降の画像データを、前記受信工程により受信することを特徴とする。
また、本発明の記憶媒体は、画像入力装置から受信した画像データに対して所定の処理を施す画像処理手段を有する画像処理装置の制御方法を実行するための制御プログラムを格納したコンピュータ可読な記憶媒体であって、前記プログラムが、前記画像入力装置から画像データを受信する受信工程と、前記受信工程により受信した画像データに対して、前記画像処理手段により所定の処理を施す画像処理工程と、前記所定の処理の設定を行うための設定情報の入力及び入力し直しをする設定入力工程と、前記設定入力工程により入力した前記設定情報を決定する決定工程と、前記決定工程により決定された設定情報を前記画像入力装置に送信する送信工程と、前記受信工程により１ページ目の画像データを受信し、前記受信工程により受信した画像データに対して前記画像処理工程により、前記設定情報に基づく所定の処理を施し、前記決定工程により、前記設定入力工程により入力した前記設定情報を決定し、前記送信工程により前記画像入力装置に前記設定情報を送信した後に、前記画像入力装置から前記設定情報に基づく所定の処理を施されたＮ（２以上の整数）ページ以降の画像データを、前記受信工程により受信するように制御する工程とを有することを特徴とする。
【００３０】
【発明の実施の形態】
以下、図面を参照して本発明の実施の形態を説明する。
【００３１】
［第１実施形態］
図１は、本発明の第１実施形態に係る画像入力システムの外観図である。
【００３２】
この画像入力システムは、画像データの入力などを行うスキャナ１と、画像データの表示や保存などを行うパーソナルコンピュータ（ＰＣ）２とで構成される。スキャナ１とＰＣ２の間はケーブル３で接続されており、これは、画像データをスキャナ１からＰＣ２に送る手段であり、ＰＣ２の画像補正の設定をスキャナ１に伝える手段でもある。
【００３３】
図２は、図１に示したスキャナ１の概略の断面構造図である。
【００３４】
スキャナ１は、原稿束をセットする原稿トレイ２０１と、原稿トレイ２０１から連続的に原稿を給紙するモータ２０２〜２０６、原稿を多値グレー又は多値カラーの画像データとして入力するセンサ２０７と、明るさ調整やコントラスト調整、２値化などの画像補正を計算するＣＰＵ２０８と、原稿トレイ２０１に原稿があるかどうかを検知するセンサ２０９とを備える。
【００３５】
図３は、図１に示したＰＣ２の概略の機能ブロック図である。
【００３６】
ＰＣ２は、明るさ調整やコントラスト調整、２値化などの画像補正を計算し、画像データの保存やスキャナ１の制御を行うＣＰＵ３０１と、使用者が画像入力開始や画像入力終了を指示し、画像補正をスキャナ１／ＰＣ２のどちらで行うかを選択するほか、明るさ調整、コントラスト調整、２値化などの画像補正を使用者が設定するためのキーボード３０２と、スキャナ１から送られた画像を記憶し、画像補正の設定を記憶するメモリ３０３と、画像データを画像として表示するディスプレイ３０４と、画像データを保存するハードディスク３０５とを備える。
【００３７】
ここで、ＣＰＵ３０１が行う画像補正は、ＣＰＵ２０８が行う画像補正と同等である。また、キーボード３０２の代わりにマウスやタッチパネルなどでもよい。ハードディスク３０５の代わりにフロッピーディスクやＣＤ−Ｒなどでもよい。
【００３８】
図４は、画像補正の選択処理を示すフローチャートである。
【００３９】
使用者は、キーボード３０２を操作して、画像補正をスキャナ１で行うか、あるいはＰＣ２で行うかを選択する（ステップＳ５１）。スキャナ１で画像補正を行う場合には、後述する図５に示すようなスキャナ側画像補正モードの画像入力処理を実行する（ステップＳ５２）。ＰＣ２で画像補正を行う場合には、後述する図７及び図８に示すようなＰＣ側画像補正モードの画像入力処理を実行する（ステップＳ５３）。
【００４０】
まず、画像補正をスキャナ１で行うことを使用者が選択した場合の動作（スキャナ側画像補正モードの画像入力処理）について、図５のフローチャートを参照しつつ説明する。
【００４１】
スキャナ１では、センサ２０９によって原稿があるかどうかが検出され（ステップＳ１０１）、原稿がある場合は、モータ２０２〜２０６によって１枚目の原稿が原稿トレイ２０１から給紙される（ステップＳ１０２）。このとき、原稿トレイ２０１にセットされている原稿がなくなるか（ステップＳ１０１）、あるいは原稿送り中のジャムなどのエラーが発生した場合には（ステップＳ１０３）、処理を終了する。
【００４２】
そして、センサ２０７によって原稿が画像データとして入力されて（ステップＳ１０４）、明るさ調整やコントラスト調整、２値化などの画像補正が行われてから（ステップＳ１０５）、ケーブル３を通じてＰＣ２に画像が送られる（ステップＳ１０６）。ＰＣ２では、スキャナ１から送られた画像がハードディスク３０５に保存される（ステップＳ１０７）。
【００４３】
２枚目以降の原稿についても、１枚目の原稿と同様にスキャナ１のモータ２０２〜２０６によって給紙され、センサ２０７によって入力され、画像補正されてからＰＣ２に送られ、ＰＣ２ではスキャナ１から送られた画像がハードディスク３０５に保存される。
【００４４】
原稿トレイ２０１にセットされている原稿がなくなるか（ステップＳ１０１）、エラーによって終了するか（ステップＳ１０３）、使用者によって画像入力の中断がキーボード３０２から入力されるまで（ステップＳ１０８）、以上の動作を繰り返す。
【００４５】
図６は、図５中の画像補正処理（ステップＳ１０５）を示すフローチャートである。
【００４６】
多値のグレー画像やカラー画像を入力するモードの場合は（ステップＳ２０１）、多値のグレー画像又はカラー画像データとして入力された画像データに対して、設定されたコントラストに相当するガンマ補正を行い（ステップＳ２０２）、設定された明るさに相当する差分を多値データに加算する（ステップＳ２０３）。
【００４７】
一方、２値画像を入力するモードの場合は（ステップＳ２０１）、多値のグレー画像データとして入力された画像データを、指定された明るさに相当するスライスを境界として２値データに変換する（ステップＳ２０４）。
【００４８】
次に、画像補正をＰＣ２で調節することを使用者が選択した場合の動作（ＰＣ側画像補正モードの画像入力処理）について、図７及び図８のフローチャートを参照して説明する。なお、図７はスキャナ側の動作を示し、図８はＰＣ側の動作を示す。
【００４９】
スキャナ１では、センサ２０９によって原稿があるかどうかが検出され（ステップＳ３０１）、原稿がある場合は、モータ２０２〜２０６によって１枚目の原稿が給紙され（ステップＳ３０２）、センサ２０７によって原稿が画像データとして入力された後（ステップＳ３０４）、前述した画像補正（明るさ調整やコントラスト調整、２値化など）を行わずにＰＣ２に送られる（ステップＳ３０５）。
【００５０】
ＰＣ２では、スキャナ１から送られた画像がメモリ３０３に記憶された後（ステップＳ３０６）、画像補正が行われ（ステップＳ３０７）、ディスプレイ３０４に表示される（ステップＳ３０８）。
【００５１】
このとき、ＰＣ２のＣＰＵ３０１が行う画像処理は、スキャナ１のＣＰＵ２０８と同等である。すなわち、図６のフローチャートに示すように、多値のグレー画像やカラー画像を入力するモードの場合は設定されたコントラストに相当するようなガンマ補正を行い、設定された明るさに相当する差分を多値データに加算し、また、２値画像を入力するモードの場合は上記のコントラスト調整や明るさ調整は行わず、指定された明るさに相当するスライスを境界として２値データに変換する。
【００５２】
使用者が明るさやコントラストなどの調節をキーボード３０２から入力すると（ステップＳ３０９）、メモリ３０３に記憶した画像に対して再度画像補正を行い、ディスプレイ３０４に表示することを繰り返す。これらの操作を明るさやコントラストが最適な状態になるまで繰り返した後に、使用者が明るさやコントラストの決定をキーボード３０２によって入力すると（ステップＳ３１０）、補正された画像が１枚目の画像としてハードディスク３０５に保存される（ステップＳ３１１）。
【００５３】
２枚目以降の原稿についても、１枚目の原稿と同様にスキャナ１ではモータ２０２〜２０６によって原稿が給紙され、センサ２０７によって入力された画像が画像補正されずにＰＣ２に送られ、ＰＣ２で使用者が明るさやコントラストなどを調節し、決定を入力すると、補正された画像が２枚目以降の画像としてハードディスク３０５に保存される。
【００５４】
原稿トレイ２０１にセットされている原稿がなくなるか（ステップＳ３０１）、原稿送りがジャムなどのエラーによって終了するか（ステップＳ３０３）、使用者によって画像入力の中断がキーボード３０２から入力されるまで（ステップＳ３１２）以上の動作を繰り返す。
【００５５】
これによって、原稿トレイ２０１にセットされた原稿それぞれについて２回以上の画像入力を行うことなく、使用者が希望する明るさやコントラストなどの画像補正を施すことが可能となる。
【００５６】
［第２実施形態］
本実施形態では、画像補正をＰＣ２で調節することを使用者が選択した場合に、１枚目の原稿についてだけ使用者による画像調節を行い、２枚目以降の原稿については使用者による画像調節を行わないようにしたものである。
【００５７】
図９及び図１０は、本発明の第２実施形態に係る画像入力システムの動作を示すフローチャートであり、図９はスキャナ側の動作を示し、図１０はＰＣ側の動作を示す。
【００５８】
スキャナ１では、センサ２０９によって原稿があるかどうかが検出され（ステップＳ４０１）、原稿がある場合は、スキャナ１でモータ２０２〜２０６によって１枚目の原稿が給紙される（ステップＳ４０２）。そして、センサ２０７によって原稿が画像データとして入力されると（ステップＳ４０４）、画像補正されずにＰＣ２に送られる（ステップＳ４０５）。
【００５９】
ＰＣ２では、スキャナ１から送られた画像がメモリ３０３に記憶された後（ステップＳ４０６）、画像補正が行われ（ステップＳ４０７）、ディスプレイ３０４に表示される（ステップＳ４０９）。そして、使用者が明るさやコントラストなどを調節し（ステップＳ４１０）、決定を入力すると（ステップＳ４１１）、補正された画像が１枚目の画像としてハードディスク３０５に保存される（ステップＳ４１２）。また、決定された明るさやコントラストなどの設定がメモリ３０３に記憶される（ステップＳ４１３）。
【００６０】
２枚目以降の原稿については、スキャナ１でモータ２０２〜２０６によって原稿が給紙され（ステップＳ４０２）、センサ２０７によって原稿が画像データとして入力されると（ステップＳ４０４）、画像補正されずにＰＣ２に送られる（ステップＳ４０５）。
【００６１】
ＰＣ２では、スキャナ１から送られた画像がメモリ３０３に記憶された後（ステップＳ４０６）、メモリ３０３に記憶された明るさやコントラストなどの設定を使用してＣＰＵ３０１で画像補正が行われる（ステップＳ４０７）。そして、補正された画像が２枚目以降の画像としてハードディスク３０５に保存される（ステップＳ４０８，ステップＳ４１２）。
【００６２】
原稿トレイ２０１にセットされている原稿がなくなるか（ステップＳ４０１）、エラーによって終了するか（ステップＳ４０３）、使用者によって画像入力の中断がキーボード３０２から入力されるまで（ステップＳ４１４）、以上の動作を繰り返す。
【００６３】
これによって、原稿トレイ２０１にセットされた原稿すべてについて使用者が希望する明るさやコントラストなどの画像補正を施し、なおかつ２枚目以降の補正は使用者がいちいち指示する必要がないため、利便性が向上する。この方式は、原稿束全体が１枚目と同じ画像補正を必要とするときに有効である。
【００６４】
［第３実施形態］
第３実施形態では、画像補正をＰＣ２で調節することを使用者が選択した場合に、１枚目の原稿についてだけＰＣ２で画像補正を行い、２枚目以降の原稿についてはスキャナ１で画像補正を行うようにしたものである。
【００６５】
図１１及び図１２は、本発明の第３実施形態に係る画像入力システムの動作を示すフローチャートであり、図１１はスキャナ側の動作を示し、図１２はＰＣ側の動作を示す。
【００６６】
スキャナ１では、センサ２０９によって原稿があるかどうかが検出され（ステップＳ５０１）、原稿がある場合は、スキャナ１でモータ２０２〜２０６によって１枚目の原稿が給紙される（ステップＳ５０２）。そして、センサ２０７によって原稿が画像データとして入力されると（ステップＳ５０４）、画像補正されずにＰＣ２に送られる（ステップＳ５０５，ステップＳ５０７）。
【００６７】
ＰＣ２では、スキャナ１から送られた画像がメモリ３０３に記憶された後（ステップＳ５０８，ステップＳ５０９）、画像補正が行われ（ステップＳ５１０）、ディスプレイ３０４に表示される（ステップＳ５１１）。そして、使用者が明るさやコントラストなどを調節し（ステップＳ５１２）、決定を入力すると（ステップＳ５１３）、補正された画像が１枚目の画像としてハードディスク３０５に保存される（ステップＳ５１４）。また、決定された明るさやコントラストなどの設定がケーブル３を通じてスキャナ１に伝えられる（ステップＳ５１５）。
【００６８】
２枚目以降の原稿については、スキャナ１でモータ２０２〜２０６によって原稿が給紙され（ステップＳ５０２）、センサ２０７によって原稿が画像データとして入力されると（ステップＳ５０４）、この画像データに対して、ＰＣ２から伝えられた明るさやコントラストなどの設定にしたがって画像補正が施された後（ステップＳ５０５，ステップＳ５０６）、ＰＣ２に送られる（ステップＳ５０７）。ＰＣ２では、スキャナ１から送られた画像データが２枚目以降の画像としてハードディスク３０５に保存される（ステップＳ５０８，ステップＳ５１４）。
【００６９】
これによって、原稿トレイ２０１にセットされた原稿すべてについて使用者が希望する明るさやコントラストなどの画像補正を施し、なおかつ２枚目以降の補正は使用者がいちいち指示する必要がないため、利便性が向上するとともに、スキャナ１の画像補正処理速度がＰＣ２のそれを上回っているときは上記第２実施形態に比して処理速度が向上する。
【００７０】
なお、上述した図４〜図１２のフローチャートに従ったプログラムをＰＣ２内のメモリ３０３に格納し動作することにより、上述の各制御方法を実現させることが可能となる。
【００７１】
また、本発明は図示の実施形態に限定されず種々の変形が可能である。例えば、画像補正は明るさ調整やコントラスト調整だけでなく、その他の使用者が画像を見ながら調整できる要素、例えば画像のエッジ強調や角度補正などでもよい。さらには、使用者が画像を見なくても調整可能な画像補正であってもよい。また、画像補正を指定するのではなく、原稿上のスキャン領域を指定する等の処理であってもよい。
【００７２】
本発明は、上述した実施形態の装置に限定されず、複数の機器から構成されるシステムに適用しても、１つの機器から成る装置に適用してもよい。前述した実施形態の機能を実現するソフトウェアのプログラムコードを記憶した記憶媒体をシステムあるいは装置に供給し、そのシステムあるいは装置のコンピュータ（又はＣＰＵやＭＰＵ）が記憶媒体に格納されたプログラムコードを読み出し実行することによっても、完成されることは言うまでもない。
【００７３】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピーディスク、ハードディスク、光ディスク、光磁気ディスク、ＣＤ−ＲＯＭ、ＣＤ−Ｒ、磁気テープ、不揮発性のメモリカード、ＲＯＭを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部又は全部を行い、その処理によって前述した実施形態の機能が実現される場合も含まれることは言うまでもない。
【００７４】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵなどが処理を行って実際の処理の一部又は全部を行い、その処理によって前述した実施形態の機能が実現される場合も含まれることは言うまでもない。
【００７５】
【発明の効果】
以上詳述したように、請求項１〜８記載の発明によれば、複数ページの入力画像データに所定の処理を施すに際し、Ｎページ以降のデータに対してはそれまでに設定した設定情報に基づいて所定の処理を施すので、設定した設定情報を用いて効率的に複数ページの入力画像データに対して所望の処理を施すことができる。
【図面の簡単な説明】
【図１】本発明の第１実施形態に係る画像入力システムの外観図である。
【図２】図１に示したスキャナ１の概略の断面構造図である。
【図３】図１に示したＰＣ２の概略の機能ブロック図である。
【図４】画像補正の選択処理を示すフローチャートである。
【図５】スキャナ側画像補正モードの画像入力処理を示すフローチャートである。
【図６】図５中の画像補正処理（ステップＳ１０５）を示すフローチャートである。
【図７】第１実施形態に係る画像入力システムの動作を示すフローチャートである。
【図８】図７の続きのフローチャートである。
【図９】本発明の第２実施形態に係る画像入力システムの動作を示すフローチャートである。
【図１０】図９の続きのフローチャートである。
【図１１】本発明の第３実施形態に係る画像入力システムの動作を示すフローチャートである。
【図１２】図１１の続きのフローチャートである。
【符号の説明】
１ スキャナ
２ パーソナルコンピュータ（ＰＣ）
３ ケーブル
３０１ ＣＰＵ
３０２ キーボード
３０３ メモリ
３０４ ディスプレイ
３０５ ハードディスク
【図１】
0004472847.tif 000002
【図２】
0004472847.tif 000003
【図３】
0004472847.tif 000004
【図４】
0004472847.tif 000005
【図５】
0004472847.tif 000006
【図６】
0004472847.tif 000007
【図７】
0004472847.tif 000008
【図８】
0004472847.tif 000009
【図９】
0004472847.tif 000010
【図１０】
0004472847.tif 000011
【図１１】
0004472847.tif 000012
【図１２】
0004472847.tif 000013